(57)【要約】【課題】油通路を形成するスパイラルを引抜く際のキンクや破断を防止でき、既設管路の再利用を図ることのできるＯＦケーブルの撤去方法を提供する。【解決手段】各々が絶縁紙１２で覆われた３本の導体１１と、油通路１３Ａを形成するスパイラル１３と、絶縁層１２で覆われた３本の導体１１及びスパイラル１３の間に介在された介在紙１４と、これらを覆うようにして形成された防食層１６とを備える三芯ＯＦケーブル１０を管路から撤去するため方法であり、先ずスパイラル１３にワイヤ２０を通線し、ワイヤ２０にスパイラル１３を巻き付けて、ワイヤ２０とともにスパイラル１３を引抜く工程を有する。【選択図】図２
2011078284.tif 000002
【特許請求の範囲】
【請求項１】
各々が絶縁層で覆われた３本の導体と、油通路を形成するスパイラルと、前記３本の導体及び前記スパイラルの間に介在された介在部材と、これらを覆うようにして形成された遮蔽層及び防食層とを備える三芯ＯＦケーブルを管路から撤去するための三芯ＯＦケーブルの撤去方法であって、
前記３本の導体、前記絶縁層、前記介在部材、前記遮蔽層及び前記防食層を引抜く前に、前記油通路に線材を通線し、前記線材に前記油通路を形成するスパイラルを巻き付けて、前記線材とともに前記スパイラルを引抜く工程を有することを特徴とする三芯ＯＦケーブルの撤去方法。
【請求項２】
前記油通路に前記線材を通線する工程は、前記油通路の一端から吸引可能な第１の線材を挿入し、前記油通路の他端から吸引により通線した後に、通線した前記第１の線材の一端に前記第１の線材よりも切断しにくい第２の線材を接合し、前記第１の線材を前記油通路の他端から引っ張ることにより前記第２の線材を通線することを特徴とする請求項１に記載の三芯ＯＦケーブルの撤去方法。
【請求項３】
前記油通路に前記線材を通線する工程は、前記油通路の一端から圧送可能な第１の線材を挿入し、前記油通路の一端から圧送により通線した後に、通線した前記第１の線材の一端に前記第１の線材よりも切断しにくい第２の線材を接合し、前記第１の線材を前記油通路の他端から引っ張ることにより前記第２の線材を通線することを特徴とする請求項１に記載の三芯ＯＦケーブルの撤去方法。
【請求項４】
前記油通路に前記線材を通線する工程は、前記第２の線材を通線した後に、通線した前記第２の線材の一端に前記第２の線材よりも切断しにくい第３の線材を接合し、前記第２の線材を他端から引っ張ることにより前記第３の線材を通線することを特徴とする請求項２又は請求項３に記載の三芯ＯＦケーブルの撤去方法。
【請求項５】
前記第１の線材がロープであり、前記第２の線材が直径２〜４ｍｍワイヤであり、前記第３の線材が直径５〜９ｍｍワイヤであることを特徴とする請求項４に記載の三芯ＯＦケーブルの撤去方法。
【請求項６】
前記スパイラルを引抜いた後、前記介在部材を引き抜き、次に前記３本の導体及び前記絶縁層を引き抜き、さらに前記遮蔽層を引き抜き、その後、前記防食層を引き抜くことを特徴とする請求項１〜５のいずれか１項に記載の三芯ＯＦケーブルの撤去方法。
【請求項７】
前記スパイラルを引抜いた後、前記３本の導体及び前記絶縁層を引き抜き、次に前記介在部材を引き抜き、さらに前記遮蔽層を引き抜き、その後、前記防食層を引き抜くことを特徴とする請求項１〜５のいずれか１項に記載の三芯ＯＦケーブルの撤去方法。
【請求項８】
前記３本の導体を引抜く工程は、前記２本の導体を引抜く方向とは逆の他端で固定した状態で、固定していない前記１本の導体を引抜く工程を有することを特徴とする請求項６又は請求項７に記載の三芯ＯＦケーブルの撤去方法。
【請求項９】
前記三芯ＯＦケーブルは、前記防食層を引抜く前に、前記遮蔽層にスパイラル状の切れ目を入れ、前記遮蔽層で囲まれた空間に線材を通線し、前記線材に前記遮蔽層のスパイラルを巻き付けて、前記線材とともに前記スパイラルを引抜くことを特徴とする請求項１〜８のいずれか１項に記載の三芯ＯＦケーブルの撤去方法。
【請求項１０】
中心部から外側に向かって順に、油通路を形成するスパイラルと、導体と、絶縁層と、遮蔽層と、防食層とを備える単芯ＯＦケーブルを管路から撤去するための単芯ＯＦケーブルの撤去方法であって、
前記導体、前記絶縁層、前記遮蔽層及び前記防食層を引抜く前に、前記油通路に線材を通線し、前記線材に前記油通路を形成するスパイラルを巻き付けて、前記線材とともに前記スパイラルを引抜く工程を有することを特徴とする単芯ＯＦケーブルの撤去方法。
【発明の詳細な説明】
【技術分野】
【０００１】
本発明は、ＯＦケーブルの撤去方法に関する。
【背景技術】
【０００２】
地中の管路６０内に布設された電力ケーブル（ＯＦケーブル１０）は、経年劣化、送電容量アップ、設備異常等のためケーブルの取替が実施されている。ケーブルの取替に際しては、例えば、図６に示すように、ケーブル先端の導体を圧縮し、プーリングアイ７０を接続後、引抜き装置で張力をかけて片方向へケーブルを引抜き撤去する工法が採用されている。
【０００３】
しかしながら、地盤改良材等の薬液が管路６０内に浸入することによる管路６０内へのケーブル１０の固着、地盤沈下による管路６０の蛇行、ケーブルシースの膨張等によるシースと管路６０との密着、引抜き時にケーブルシースが提灯状態となることによる詰まり等の理由により、引抜き抵抗が増大し、取替作業が困難となる。そのため、「掘削工法」を実施せざるを得なくなり、作業コストが膨大化している。あるいは、撤去不能となり、管路６０内にケーブル１０を残置せざるを得ない状况が多々発生している。
【０００４】
管路６０内にケーブル１０を残置せざるを得ない場合、管路６０の再利用が不可能となり、新たな管路６０を布設する必要が生じ、莫大な費用が必要となる。
【０００５】
このような問題を解決するための従来の方法としては、例えば、（ａ）介在部材を引き抜き、（ｂ）コアケーブルの１本を引き抜き、（ｃ）コアケーブルの残りの２本を引き抜き、（ｄ）防食層を引き抜く、三相電力ケーブルの撤去方法が知られている。（特許文献１参照）。
【先行技術文献】
【特許文献】
【０００６】
【特許文献１】特開２００５−７３３３１号公報
【発明の概要】
【発明が解決しようとする課題】
【０００７】
しかし、特許文献１に記載の方法では、例えば、油通路を形成するスパイラルを引抜く際に途中でキンクし、破断してしまいケーブル撤去の目的を果たせず断念せざるを得ないといった問題がある。
そのため、長いケーブルを撤去する場合、実用化レベルにおいて十分と言えるものではなく、より良い撤去方法が求められていた。
【０００８】
従って、本発明の目的は、油通路を形成するスパイラルを引抜く際のキンクや破断を防止でき、既設管路の再利用を図ることのできるＯＦケーブルの撤去方法を提供することにある。
【課題を解決するための手段】
【０００９】
本発明は、上記目的を達成するため、各々が絶縁層で覆われた３本の導体と、油通路を形成するスパイラルと、前記３本の導体及び前記スパイラルの間に介在された介在部材と、これらを覆うようにして形成された遮蔽層及び防食層とを備える三芯ＯＦケーブルを管路から撤去するための三芯ＯＦケーブルの撤去方法であって、
前記３本の導体、前記絶縁層、前記介在部材、前記遮蔽層及び前記防食層を引抜く前に、前記油通路に線材を通線し、前記線材に前記油通路を形成するスパイラルを巻き付けて、前記線材とともに前記スパイラルを引抜く工程を有することを特徴とする三芯ＯＦケーブルの撤去方法を提供する。
【００１０】
本発明は、上記目的を達成するため、中心部から外側に向かって順に、油通路を形成するスパイラルと、導体と、絶縁層と、遮蔽層と、防食層とを備える単芯ＯＦケーブルを管路から撤去するための単芯ＯＦケーブルの撤去方法であって、
前記導体、前記絶縁層、前記遮蔽層及び前記防食層を引抜く前に、前記油通路に線材を通線し、前記線材に前記油通路を形成するスパイラルを巻き付けて、前記線材とともに前記スパイラルを引抜く工程を有することを特徴とする単芯ＯＦケーブルの撤去方法を提供する。
【発明の効果】
【００１１】
本発明によれば、油通路を形成するスパイラルを引抜く際のキンクや破断を防止でき、既設管路の再利用を図ることのできるＯＦケーブルの撤去方法を提供することができる。
【図面の簡単な説明】
【００１２】
【図１】三芯ＯＦケーブルの構成を示す横断面図である。
【図２】三芯ＯＦケーブルの構成を示す横断面図及び本発明の実施の形態に係る三芯ＯＦケーブルの撤去方法の工程を示す図である。
【図３】油通路に線材を通線する工程の説明図である。（ａ）は第１の線材であるロープと第２の線材であるワイヤの接合状態を示し、（ｂ）は第２の線材であるワイヤと第３の線材であるワイヤの接合状態を示す。
【図４】スパイラルを引抜く工程の説明図である。
【図５】導体を引抜く工程の説明図である。
【図６】ＯＦケーブルの従来の撤去方法の説明図である。
【発明を実施するための形態】
【００１３】
〔第１の実施の形態〕
（三芯ＯＦケーブルの構成）
図１は、三芯ＯＦケーブルの構成を示す横断面図である。
【００１４】
三芯ＯＦケーブル１０は、各々が絶縁紙１２等の絶縁層で覆われた３本の導体１１と、油通路１３Ａを形成するスパイラル１３と、絶縁紙１２等で覆われた３本の導体１１及びスパイラル１３の間に介在された介在紙１４等の介在部材と、これらを覆うようにして形成された遮蔽層１５及び防食層１６とを備える。
【００１５】
導体１１は、導線の束からなり、送電路を構成する。絶縁紙１２等の絶縁層は、導体１１と外部を絶縁するものであり、クラフト紙等からなる絶縁テープを多層に巻きつけること等により形成される。
【００１６】
スパイラル１３は、絶縁油が流される油通路１３Ａを形成するものであり、亜鉛メッキ鋼板やステンレス等のような金属からなる帯状体を螺旋状に巻回することにより形成される。
【００１７】
介在紙１４等の介在部材は、絶縁紙１２等の絶縁層で覆われた３本の導体１１及びスパイラル１３の間の隙間を埋めるものであり、紙又はジュート等により紐状に形成される。
【００１８】
遮蔽層１５は、近くに配設される通信線等への電圧誘導（通信ノイズの原因）を防止するものであり、導体１１に巻き付けられたカーボン紙等の絶縁紙１２の周囲に、鉛又はアルミニウム等のような金属材料を押し出すことによって形成される。
【００１９】
防食層１６は、ＯＦケーブル１０の内部腐食を防止するものであり、クロロプレンゴム等のような樹脂材料を押し出すことによって形成される。
【００２０】
（三芯ＯＦケーブルの撤去方法）
図２は、三芯ＯＦケーブルの構成を示す横断面図及び本発明の実施の形態に係る三芯ＯＦケーブルの撤去方法の工程を示す図である。
【００２１】
本発明の実施の形態に係る三芯ＯＦケーブルの撤去方法は、三芯ＯＦケーブルを管路から撤去するための方法であり、３本の導体１１、絶縁紙１２、介在紙１４、遮蔽層１５及び防食層１６を引抜く前に、油通路１３Ａに線材（ワイヤ２０）を通線し（図２中の工程１）、ワイヤ２０にスパイラル１３を巻き付けて、ワイヤ２０とともにスパイラル１３を引抜く工程（図２中の工程２）を有する。
【００２２】
スパイラル１３を引抜いた後、介在紙１４を引き抜き（図２中の工程３）、次に絶縁紙１２で覆われた３本の導体１１を引き抜き（図２中の工程４）、その後、遮蔽層１５及び防食層１６を引き抜く（図２中の工程５）。或いは、スパイラル１３を引抜いた後、絶縁紙１２で覆われた３本の導体１１を引き抜き、次に介在紙１４を引き抜き、その後、遮蔽層１５及び防食層１６を引き抜く、という順序でもよい。
【００２３】
図３は、油通路に線材を通線する工程の説明図であり、（ａ）は第１の線材であるロープと第２の線材であるワイヤの接合状態を示し、（ｂ）は第２の線材であるワイヤと第３の線材であるワイヤの接合状態を示す。また、図４は、スパイラルを引抜く工程の説明図である。
【００２４】
油通路に線材を通線する工程は、油通路の一端から吸引可能な第１の線材を挿入し、油通路の他端から吸引により通線した後に、通線した第１の線材の一端に第１の線材よりも切断しにくい第２の線材を接合し、第１の線材を前記油通路の他端から引っ張ることにより第２の線材を通線する。
【００２５】
また、油通路に線材を通線する工程は、油通路の一端から圧送可能な第１の線材を挿入し、油通路の一端から圧送により通線した後に、通線した第１の線材の一端に第１の線材よりも切断しにくい第２の線材を接合し、第１の線材を前記油通路の他端から引っ張ることにより第２の線材を通線してもよい。
【００２６】
第２の線材を通線した後に、更に、通線した第２の線材の一端に第２の線材よりも切断しにくい第３の線材を接合し、第２の線材を他端から引っ張ることにより第３の線材を通線してもよい。また、場合によっては、同様にして、更に、第３の線材よりも切断しにくい第４の線材を通線してもよい。
【００２７】
第１の線材は、吸引または圧送可能な軽量の材料からなるものであれば良く、第２の線材を引っ張る際に切断しない材料、太さとする。
【００２８】
第２の線材は、第１の線材よりも切断しにくいものであれば良く、第１の線材により引っ張られる際に切断しない材料、太さとする。但し、質量が大きすぎるものを用いると上記第１の線材の条件を満たすことが難しくなるため、上記第１の線材の条件を満たすことが可能な範囲で材料や太さを適宜、選択する。また、第２の線材は、スパイラルを引抜く際に切断しない材料、太さとする、或いは、第３の線材を引っ張る際に切断しない材料、太さとする。
【００２９】
第３の線材は、第２の線材よりも切断しにくいものであれば良く、第２の線材により引っ張られる際に切断しない材料、太さとする。但し、質量が大きすぎるものを用いると上記第２の線材の条件を満たすことが難しくなるため、上記第２の線材の条件を満たすことが可能な範囲で材料や太さを適宜、選択する。また、第３の線材は、スパイラルを引抜く際に切断しない材料、太さとする、或いは、第４の線材を引っ張る際に切断しない材料、太さとする。
【００３０】
第２〜４の線材は、上記条件を満たす範囲で可能な限り直径を大きくした方が、スパイラル１３を巻き付けやすく、かつ引抜きに必要な線材の長さを短くできるといったメリットがあるため、望ましい。
【００３１】
第１〜第３の線材の好ましい具体例としては、例えば、第１の線材が直径２〜４ｍｍのロープであり、第２の線材が直径２〜４ｍｍのワイヤであり、第３の線材が直径５〜９ｍｍのワイヤである実施の形態が挙げられる。
【００３２】
線材間の接合は、図３に示すように、例えば、ロープ３０とワイヤ２０ａとの接合を接合金具４０ａで、ワイヤ２０ａとワイヤ２０ｂとの接合を接合金具４０ｂで行うことができる。
具体的には図３（ａ）に示すように、ロープ３０の一端にオスネジ加工された金具が固定されており、また、ワイヤ２０ａの一端にはメスネジ加工された接合金具４０ａが固定されている。そして、ロープ３０の一端に固定された金具を接合金具４０ａに挿入し回転させ締付けることにより、ロープ３０とワイヤ２０ａとを接合することができる。図３（ｂ）のワイヤ２０ａとワイヤ２０ｂとの接合についても同様である。
【００３３】
油通路１３Ａに線材（ワイヤ２０ｂ）を通線した後、図４に示すように、ワイヤ２０ｂにスパイラル１３を巻き付けて、ワイヤ２０ｂとともにスパイラル１３を引抜く。
【００３４】
次に、介在紙１４を引抜く際には、介在紙１４の一端をペンチ等で掴み、これを引抜く。このとき、スパイラル１３は既に引抜かれているので、介在紙１４の周囲には十分な隙間があるため、引抜抵抗は小さく、容易に引抜くことができる。
【００３５】
図５は、導体を引抜く工程の説明図である。
【００３６】
絶縁紙１２で覆われた３本の導体１１を引き抜く工程は、図５に示すように、２本の導体１１について引抜く方向とは逆の他端に固定用のプーリングアイ５０を接続してこの２本を固定した状態で、固定していない１本の導体に引抜き用のプーリングアイ５０を接続してこれを引抜く工程を有することが望ましい。
【００３７】
１本の導体を引抜いた後、残りの２本を同時に引抜いてもよいが、残りの２本の導体も１本ずつ引抜くことが望ましい。２本目の導体を引抜く際は、残りの１相を固定した状態で、引抜く導体に接続されていた固定用のプーリングアイ５０を取り外し、逆側に引抜き用のプーリングアイ５０を接続してこれを引抜く。
【００３８】
絶縁紙１２は、導体１１を引き抜く際に、一緒に引抜いてもよい。或いは、導体１１を引き抜いた後に引抜いてもよい。多層構造であるため、内側の層から順番に引き抜くようにしてもよい。
【００３９】
次に、遮蔽層１５及び防食層１６を引抜く方法について説明する。
遮蔽層１５及び防食層１６を引抜く方法は特に限定されるものではないが、防食層１６を引抜く前に、遮蔽層１５にスパイラル状の切れ目を入れ、遮蔽層１５で囲まれた空間に線材を通線し、線材に遮蔽層１５のスパイラルを巻き付けて、線材とともに遮蔽層１５を引抜き、これと同様にして、防食層１６も引抜くことが望ましい。
【００４０】
〔第２の実施の形態〕
本発明は、上記三芯ＯＦケーブルに限らず、単芯ＯＦケーブルに適用することもできる。
単芯ＯＦケーブルは、中心部から外側に向かって順に、油通路を形成するスパイラルと、導体と、絶縁層と、遮蔽層と、防食層とを備えるものであり、その構成が上記三芯ＯＦケーブルとは異なるが、基本的に上述した三芯ＯＦケーブルの撤去方法と同様にして撤去することができる。
【００４１】
即ち、本発明の実施の形態に係る単芯ＯＦケーブルの撤去方法は、単芯ＯＦケーブルを管路から撤去するための方法であり、導体、絶縁層、遮蔽層及び防食層を引抜く前に、油通路に線材を通線し、当該線材に油通路を形成するスパイラルを巻き付けて、線材とともにスパイラルを引抜く工程を有する。スパイラルを引抜く工程の詳細は、前述の通りである。
【００４２】
スパイラルを引抜いた後、導体を引き抜き、その後、絶縁層、遮蔽層及び防食層を順に引き抜く。導体は、導体を構成する導線束を１〜数本ずつ引き抜くことが好ましい。
【００４３】
（本発明の実施の形態の効果）
本発明の実施の形態によれば、以下の効果を奏する。
（１）油通路を形成するスパイラルを引抜く際のキンクや破断を防止できるため、より長いスパイラルをケーブル内に残すことなく引抜くことができる。これによりケーブル内に全長に渡って隙間ができるので、介在紙や導体等の引抜き抵抗が小さくなり、引抜き作業を容易化できる。
（２）引抜き困難であったケーブルを撤去することができるため、既設管路の再利用を図ることができる。
（３）掘削工法を使用することなく、ケーブルを撤去することができるため、コスト、時間、労力等の削減ができる。
（４）三芯ＯＦケーブルの場合、２本の導体を逆側で固定して、１本の導体を引抜くため、２本を固定しない場合に比べて引抜きやすい。
【００４４】
次に実施例により本発明を説明するが、本発明はこれらの実施例により限定されるものではない。
【実施例】
【００４５】
鉄道横断部の地中管路に布設され、引抜き困難でかつ掘削が不可能な三芯ＯＦケーブル約３４ｍについて、上述の方法を適用し撤去することができた。
【符号の説明】
【００４６】
１０…ＯＦケーブル、１１…導体、１２…絶縁紙、１３…スパイラル、１３Ａ…油通路、１４…介在紙、１５…遮蔽層、１６…防食層、２０…ワイヤ、２０ａ…ワイヤ、２０ｂ…ワイヤ、３０…ロープ、４０ａ，４０ｂ…接合金具、５０…プーリングアイ、６０…管路、７０…プーリングアイ
【図１】
2011078284.tif 000003
【図２】
2011078284.tif 000004
【図３】
2011078284.tif 000005
【図４】
2011078284.tif 000006
【図５】
2011078284.tif 000007
【図６】
2011078284.tif 000008